(57)【要約】      （修正有）【課題】必要に応じていつでも内鍋を昇降させることができ、食物の長時間加熱や加熱不足による食物の味への影響が防止され、鍋への粘着が発生しにくく、衛生的であり、食物の無駄を効果的に防止することができる昇降可能な二層鍋を提供する。【解決手段】昇降可能な二層鍋は、外鍋１と、外鍋の内部に可動に取り付けられた内鍋２とを含み、内鍋の底部には、少なくとも１つの排水用の貫通孔が設けられ、外鍋の外周壁又は内周壁には、内鍋の上下昇降を駆動するための回転昇降装置３が設けられ、回転昇降装置には、その上下昇降を制御するための取っ手４が接続される。回転昇降装置は、外鍋の外周壁に固定されたレールケース５を含み、レールケースの内部には回転盤６が取り付けられ、回転盤にはスライダ７が可動に接続される。昇降可能な二層鍋の内鍋が回転昇降装置を介して外鍋に接続され、簡易な構造により内鍋の昇降機能が実現される。【選択図】図２
0003224259.tif 000002
【実用新案登録請求の範囲】
【請求項１】
外鍋（１）と、該外鍋（１）の内部に可動に取り付けられた内鍋（２）とを含む昇降可能な二層鍋であって、
前記内鍋（２）の底部には、少なくとも１つの排水用の貫通孔が設けられ、
前記外鍋（１）の外周壁又は内周壁には、前記内鍋（２）の上下昇降を駆動するための回転昇降装置（３）がさらに設けられ、該回転昇降装置（３）には、その上下昇降を制御するための取っ手（４）が接続され、前記回転昇降装置（３）は、前記外鍋（１）の外周壁又は内周壁に固定したレールケース（５）を含み、
前記レールケース（５）の内部には、その内部で回転可能な回転盤（６）が設けられ、
前記回転盤（６）は前記取っ手（４）に接続され、前記回転盤（６）には、前記レールケース（５）内を上下にスライドし得るスライダ（７）が接続され、
前記スライダ（７）の上縁は前記内鍋（２）に当接し、前記スライダ（７）にはスライド溝（８）が設けられ、
前記回転盤（６）には、前記スライド溝（８）と適合して使用されるピン（９）が設けられる、ことを特徴とする昇降可能な二層鍋。
【請求項２】
前記レールケース（５）の内部の両側にはそれぞれレール溝が設けられ、
前記スライダ（７）は、前記レール溝に可動に取り付けられ、
前記レールケース（５）には、前記回転盤（６）の形状とマッチングするチャンバが設けられ、
前記回転盤（６）は、前記チャンバ内に可動に取り付けられ、チャンバに対して回転可能である、
ことを特徴とする請求項１に記載の昇降可能な二層鍋。
【請求項３】
前記外鍋（１）の底部はメッシュ構造である、ことを特徴とする請求項１に記載の昇降可能な二層鍋。
【請求項４】
前記外鍋（１）の外周壁又は内周壁の対向する両側壁にはそれぞれ回転昇降装置（３）が設けられる、ことを特徴とする請求項１又は２に記載の昇降可能な二層鍋。
【請求項５】
前記取っ手（４）はＵ字形であり、前記取っ手（４）の両端はそれぞれ２つの回転昇降装置（３）に接続される、ことを特徴とする請求項４に記載の昇降可能な二層鍋。
【考案の詳細な説明】
【技術分野】
【０００１】
本考案は料理ツールの分野に関し、特に昇降可能な二層鍋に関する。
【背景技術】
【０００２】
生活の中では、人々が火鍋を食べるとき、鍋の底部にある食物をすくいあげにくい。食物の長い加熱時間は食物の味に影響を与えるだけでなく、鍋への粘着が発生しやすい。また、普通の火鍋は鍋の中の食物をよく見ることができず、食べるのは非常に不便であり、食物の無駄を引き起こしやすい。人々はしばしばスプーンや箸を使って鍋で所望の食物を選択してすくいあげることも衛生的ではない。
【考案の概要】
【考案が解決しようとする課題】
【０００３】
上記問題を解決するために、本考案の目的は、鍋への粘着が発生しにくく、衛生的であり、食物の浪費を回避できる、昇降可能な二層鍋を提供することである。
【０００４】
本考案がその技術的問題を解決するために採用する技術案は下記のとおりである。
【課題を解決するための手段】
【０００５】
昇降可能な二層鍋は、外鍋と、前記外鍋の内部に可動に取り付けられた内鍋とを含み、前記内鍋の底部には、少なくとも１つの排水用の貫通孔が設けられ、前記外鍋の外周壁又は内周壁には、前記内鍋の上下昇降を駆動するための回転昇降装置がさらに設けられ、前記回転昇降装置には、その上下昇降を制御するための取っ手が接続される。
【０００６】
前記回転昇降装置は、前記外鍋の外周壁又は内周壁に固定したレールケースを含み、前記レールケースの内部には、その内部で回転可能な回転盤が設けられ、前記回転盤は前記取っ手に接続され、前記回転盤には、前記  レールケース内を上下にスライドし得るスライダが接続され、前記スライダの上縁は前記内鍋に当接し、前記スライダにはスライド溝が設けられ、前記回転盤には、前記スライド溝と適合して使用されるピンが設けられる。
【０００７】
前記レールケースの内部の両側にはそれぞれレール溝が設けられ、前記スライダは、前記レール溝に可動に取り付けられ、前記レールケースには、前記回転盤の形状とマッチングするチャンバが設けられ、前記回転盤は、前記チャンバ内に可動に取り付けられ、チャンバに対して回転可能である。
【０００８】
前記外鍋の底部はメッシュ構造である。
【０００９】
前記外鍋の外周壁又は内周壁の対向する両側壁にはそれぞれ回転昇降装置が設けられる。
【００１０】
前記取っ手はＵ字形であり、前記取っ手の両端はそれぞれ２つの回転昇降装置に接続される。
【００１１】
本考案の有利な効果は次のとおりである。本考案の昇降可能な二層鍋の内鍋は回転昇降装置を介して外鍋に接続され、簡潔な構造により内鍋の昇降機能が実現され、必要に応じていつでも内鍋を昇降させることができ、食品の長時間加熱逃げ加熱不足による食品の味への影響が防止され、鍋に粘着しにくく衛生的であり、食品の無駄を効果的に防止することができる。
【図面の簡単な説明】
【００１２】
以下添付図面と具体的な実施形態を結び付けて本考案に対して更に詳細に説明する。
【図１】本考案の内鍋が上昇していない構造模式図の一例である。
【図２】本考案の内鍋が上昇した構造模式図の一例である。
【図３】本考案の回転昇降装置の構造模式図の一例である。
【考案を実施するための形態】
【００１３】
図１及び図２を参照されたい。図１は、本考案の１つの具体的な実施例の、内鍋が上昇していない構造模式図である。図２は、その具体的な実施例の、内鍋が上昇した構造模式図である。図面に示すように、昇降可能な二層鍋は、外鍋１と、外鍋１の内部に可動に取り付けられた内鍋２とを含む。内鍋２の底部は、少なくとも１つの排水用の貫通孔が設けられ、それはメッシュ構造であることが好ましい。外鍋１の外周壁上の対向する両端にはさらに、内鍋２の上下昇降を駆動するための２つの回転昇降装置３がに設けられる。本実施例では、２つの回転昇降装置３は互いに背を向けるように外鍋１の外周壁上に配設される。回転昇降装置３には、その上下昇降を制御するための取っ手４が接続される。取っ手４はＵ字形であり、取っ手４の外面は円弧状を呈し、液体又は汚れの残留を効果的に防止することができる。同時に、取っ手４はまた、二層鍋を持ち上げて搬送する取っ手として機能することもできる。取っ手４の両端はそれぞれ２つの回転昇降装置３に接続される。
【００１４】
図３を参照すると、回転昇降装置３は、外鍋１の外周壁に固定されたレールケース５を含む。レールケース５の２つの縁部は、ボルトによって外鍋１の外壁に固定される。レールケース５の内部には、該内部に回転可能な回転盤６が取り付けられる。レールケース５には、前記回転盤６の形状とマッチングするチャンバが設けられる。回転盤６は、枢軸を使用せずに外鍋１に対して回転可能である。回転盤６はチャンバ内に可動に取り付けられ、そのチャンバに対して回転することができる。回転盤６は取っ手４に接続される。回転盤６にはスライダ７が可動に接続される。レールケース５の内部の両側にはそれぞれレール溝が設けられ、スライダ７はレール溝内を上下に摺動することができる。スライダ７には横方向のスライド溝８が設けられる。回転盤６には、スライド溝８内で摺動可能なピン９が設けられる。スライド溝８の長さは、ピン９のストローク以上である必要がある。このストロークは、回転盤６の回転中心からピン９の中心までの距離である。内鍋２の外周壁には折り返しエッジが設けられ、前記折り返しエッジの内面は、前記スライダ７の上縁を収容する。これにより、内鍋２とスライダ７とは着脱可能に接続され、使用の必要に応じて、内鍋２は二層鍋の全体から分離することができる。上記の回転昇降装置３は、簡易な構造を利用して本考案の二層鍋の上下昇降の機能を実現する。その構造は、製造及び加工が簡単であり、加工の難易度が低く、製造原料を節約できる。
【００１５】
内鍋２を上昇させる必要がある場合、取っ手４を回転させ、取っ手４で回転盤６をレールケース５内で回転させる。回転盤６上のピン９をレール溝内で摺動させて、スライダ７を上方に移動させる。取っ手４を一端から他端へ回転させると、スライダ７をレール溝の底部からレール溝の上部まで摺動させる。内鍋２は最高位置まで上昇し、内鍋２内の液体はそのメッシュ構造を介して外鍋１内に流れ込み、内鍋２内の食物はすべてユーザーの目の前に現れ、ユーザーは所望の食物を正確に選択できる。内鍋２を下降させる必要がある場合、取っ手４をその位置からその位置に対向する他端へ回転させ、ピン９をレール溝内で摺動させてスライダ７を下方に移動させる。取っ手４を１８０°回転させると、スライダ７はレール溝の上部からレール溝の底部まで摺動する。内鍋２は最低位置まで下降し、内鍋２は外鍋１内の液体に再び浸る。
【００１６】
本好ましい実施例の昇降可能な二層鍋の内鍋は簡易な回転昇降機構により内鍋の昇降機能が実現され、必要に応じていつでも内鍋を昇降させることができ、食物の長時間加熱や加熱不足による食物の味への影響が防止され、鍋への粘着が発生しにくく、衛生的であり、食物の無駄を効果的に防止することができる。
【００１７】
以上、本考案の好適な実施形態について具体的に説明したが、本考案は上記実施形態とは異なる形態を採用してもよい。例えば、上記実施例では、回転昇降装置３が外鍋１の外周壁上に設けられる態様を取り挙げたが、これに限ることなく、外鍋１の内周壁上に設けてもよい。本考案の精神から逸脱することなく当業者によって行われる同等の変更又は対応する修正は、本考案の範囲内に含まれるべきである。
【図１】
0003224259.tif 000003
【図２】
0003224259.tif 000004
【図３】
0003224259.tif 000005